(57)【特許請求の範囲】
【請求項１】
電源オフ状態又は省電力状態の携帯端末装置に対して第１ユーザの入力操作があった場合に、前記第１ユーザの顔を撮影するカメラ部と、
前記カメラ部の撮影した前記第１ユーザの顔を含む第１画像データが、予め設定されている第２ユーザの第２画像データに含まれるか否かを判定する顔認証部と、
前記第１画像データが前記第２画像データに含まれない場合に、前記第１ユーザによって入力される第１パスワードが、予め設定されている前記第２ユーザの第２パスワードに一致するか否かを判定するパスワード認証部と、
前記第１パスワードと前記第２パスワードとが不一致である場合に、前記携帯端末装置への入力を受け付けないロック状態にする制御部と、
前記ロック状態の前記携帯端末装置の第１位置情報を取得するＧＰＳ部と、
前記第１位置情報を予め設定されたアドレスへ送信する無線送受信部と、
を具備し、
前記カメラ部は、前記制御部が前記ロック状態にした直後、再び前記第１ユーザの顔を撮影し、メール送信用の画像データを生成し、
前記無線送受信部は、前記メール送信用の画像データを前記設定されたアドレスへ送信し、
前記カメラ部は、前記第１位置情報の送信後に前記携帯端末装置に対して第３ユーザの入力操作があった場合に、前記第３ユーザの顔を撮影し、
前記顔認証部は、前記カメラ部の撮影した前記第３ユーザの顔を含む第３画像データと、前記メール送信用の画像データとが一致するか否かを判定し、
前記無線送受信部は、前記第３画像データと前記メール送信用の画像データとが不一致である場合に、前記第３画像データを前記設定されたアドレスへ送信する
携帯端末装置。
【請求項２】
電源オフ状態又は省電力状態の携帯端末装置に対して第１ユーザの入力操作があった場合に、前記第１ユーザの顔を撮影するカメラ部と、
前記カメラ部の撮影した前記第１ユーザの顔を含む第１画像データが、予め設定されている第２ユーザの第２画像データに含まれるか否かを判定する顔認証部と、
前記第１画像データが前記第２画像データに含まれない場合に、前記第１ユーザによって入力される第１パスワードが、予め設定されている前記第２ユーザの第２パスワードに一致するか否かを判定するパスワード認証部と、
前記第１パスワードと前記第２パスワードとが不一致である場合に、前記携帯端末装置への入力を受け付けないロック状態にする制御部と、
前記ロック状態の前記携帯端末装置の第１位置情報を取得するＧＰＳ部と、
前記第１位置情報を予め設定されたアドレスへ送信する無線送受信部と、
前記第１位置情報と、第２位置情報との直線距離を算出する距離算出部と、
を具備し、
前記第２位置情報は、前記第１位置情報の送信後の前記ロック状態の前記携帯端末装置に対して前記第１ユーザの入力操作があった場合に、前記ＧＰＳ部が取得する前記携帯端末装置の位置情報である
携帯端末装置。
【請求項３】
請求項２に記載の携帯端末装置であって、
前記無線送受信部は、前記直線距離が所定の距離である場合に、前記第２位置情報を前記指定されたアドレスへ送信する
携帯端末装置。
【請求項４】
電源オフ状態又は省電力状態の携帯端末装置に対して第１ユーザの入力操作があった場合に、前記第１ユーザの顔を撮影し、前記第１ユーザの顔を含む第１画像データを生成するステップと、
前記第１画像データが、予め設定されている第２ユーザの第２画像データに含まれるか否かを判定するステップと、
前記第１画像データが前記第２画像データに含まれない場合に、前記第１ユーザによって入力される第１パスワードが、予め設定されている前記第２ユーザの第２パスワードに一致するか否かを判定するステップと、
前記第１パスワードと前記第２パスワードとが不一致である場合に、前記携帯端末装置への入力を受け付けないロック状態にするステップと、
前記ロック状態の前記携帯端末装置の第１位置情報を取得するステップと、
前記第１位置情報を予め設定されたアドレスへ送信するステップと
前記ロック状態にした直後、再び前記第１ユーザの顔を撮影し、メール送信用の画像データを生成するステップと、
前記メール送信用の画像データを前記設定されたアドレスへ送信するステップと
前記第１位置情報を送信後に前記携帯端末装置に対して第３ユーザの入力操作があった場合に、前記第３ユーザの顔を撮影し、前記第３ユーザの顔を含む第３画像データを生成するステップと、
前記第３画像データと前記メール送信用の画像データとが一致するか否かを判定するステップと、
前記第３画像データと前記メール送信用の画像データとが不一致である場合に、前記第３画像データを前記設定されたアドレスへ送信するステップと、
を具備する
不正使用防止方法。
【請求項５】
電源オフ状態又は省電力状態の携帯端末装置に対して第１ユーザの入力操作があった場合に、前記第１ユーザの顔を撮影し、前記第１ユーザの顔を含む第１画像データを生成するステップと、
前記第１画像データが、予め設定されている第２ユーザの第２画像データに含まれるか否かを判定するステップと、
前記第１画像データが前記第２画像データに含まれない場合に、前記第１ユーザによって入力される第１パスワードが、予め設定されている前記第２ユーザの第２パスワードに一致するか否かを判定するステップと、
前記第１パスワードと前記第２パスワードとが不一致である場合に、前記携帯端末装置への入力を受け付けないロック状態にするステップと、
前記ロック状態の前記携帯端末装置の第１位置情報を取得するステップと、
前記第１位置情報を予め設定されたアドレスへ送信するステップと
前記第１位置情報と、第２位置情報との直線距離を算出するステップを具備し、
前記第２位置情報は、前記第１位置情報の送信後の前記ロック状態の前記携帯端末装置に対して前記第１ユーザの入力操作があった場合に取得される前記携帯端末装置の位置情報である
不正使用防止方法。
【請求項６】
請求項５に記載の不正使用防止方法であって、
更に、
前記直線距離が所定の距離である場合に、前記第２位置情報を前記指定されたアドレスへ送信するステップ、
を具備する
不正使用防止方法。
【請求項７】
請求項４乃至６の何れか一項に記載の方法をコンピュータに実行させる
不正使用防止プログラム。
【発明の詳細な説明】
【技術分野】
【０００１】
本発明は携帯端末装置に関し、特に不正使用防止機能を備える携帯端末装置、不正使用防止方法及びプログラムに関する。
【背景技術】
【０００２】
盗難、紛失又は置き忘れ等による携帯端末装置の不正使用の防止に対して、様々な対策が考えられている。簡単に出来る対策の一例として、携帯端末装置をユーザ操作に基づきロックする方法がある。この方法は、ユーザの入力操作によるパスワード等に基づいて、ユーザが操作終了時に携帯端末装置をロックし、また、操作開始時にロックを解除することで、ユーザ以外の第三者による不正使用を防止するというものである。
【０００３】
特許文献１には、盗難、紛失又は置き忘れ等に基づき不正使用されていることを、所定の通信先に積極的に知らせることが出来る情報通信端末が開示されている。この情報通信端末は、使用者の顔を撮影可能な撮像手段と、操作されていることを検知する操作検知手段と、制御手段とを備える。制御手段は、予め設定した不正使用対応モードの実行時に情報通信端末の操作が検知されたとき、操作している使用者の顔を撮影し、その顔の画像データを含む情報を所定の通信先宛に送信するように制御する。このような情報通信端末は、不正使用対応モードの実行時に操作を行っている使用者を不正使用者とみなし、不正使用者の顔の画像データを所定の通信先に送信することが出来るというものである。
【０００４】
【特許文献１】特開２００７−６７７８３号公報
【発明の開示】
【発明が解決しようとする課題】
【０００５】
パスワード等のユーザの入力操作に基づくロックによって携帯端末装置の不正使用を防止する方法は、ユーザが操作の都度ロック又はロック解除の設定をしなければならない。この方法は、ユーザがパスワード等の入力の煩わしさからロックの設定を行わないで操作を終了することや、ロックの設定を忘れてしまうことなどが考えられる。更に、携帯端末装置はロックをしていてもロック解除のパスワードの入力を受け付けるため、パスワードを繰り返し入力されるとロックが解除される虞もある。
【０００６】
本発明の目的は、ユーザが携帯端末装置の不正使用を防止するためのロック及びロック解除の設定を操作の都度行わなくても、不正使用されていることを自動で判定し、不正使用されていることを判定した場合に自動でロック出来る携帯端末装置を提供することにある。
【課題を解決するための手段】
【０００７】
本発明の携帯端末装置は、電源オフ状態又は省電力状態の携帯端末装置に対する第１ユーザの入力操作に基づき第１ユーザの顔を撮影するカメラ部と、カメラ部の撮影した第１ユーザの顔を含む第１画像データが、予め設定されている第２ユーザの第２画像データに含まれるか否かを判定する顔認証部と、第１画像データが第２画像データに含まれない場合に、第１ユーザによって入力される第１パスワードが、予め設定されている第２ユーザの第２パスワードに一致するか否かを判定するパスワード認証部と、第１パスワードと第２パスワードとが不一致である場合に、携帯端末装置への入力を受け付けないロック状態にする制御部とを具備する。このような携帯端末装置は、電源オフ状態又は省電力状態の携帯端末装置に対して入力操作を行う第１ユーザの顔を自動で撮影する。そして、第１ユーザの顔を含む第１画像データが予め設定された第２画像データに含まれない場合、第１ユーザの入力に基づく第１パスワードを取得する。更に、第１パスワードと予め設定された第２パスワードとが不一致の場合、携帯端末装置は入力を受け付けないロック状態となる。
【発明の効果】
【０００８】
本発明の携帯端末装置は、不正使用されていることを判定した場合、自動で入力を受け付けないロック状態へ移行することが出来るため、盗難、紛失又は置き忘れ等に対する安全性を高めることが出来る。また、本発明の携帯端末装置は、操作の都度ロック及びロック解除の設定を行わなくて良い効果を奏する。
【発明を実施するための最良の形態】
【０００９】
以下、添付図面を参照して本発明の実施の形態による携帯端末装置１を説明する。
【００１０】
本発明の第１の実施の形態を説明する。図１は、本発明の携帯端末装置１の第１の実施の形態による、ハードウエア構成例を示すブロック図である。図１を参照すると、本発明の携帯端末装置１は、制御部２と、無線送受信部３と、入力部４と、出力部５と、記憶部６と、カメラ部７と、ＧＰＳ（Ｇｌｏｂａｌ  Ｐｏｓｉｔｉｏｎｉｎｇ  Ｓｙｓｔｅｍ）部８と、顔認証部９と、パスワード認証部１０とを具備する。
【００１１】
制御部２は、本発明の携帯端末装置１に係る演算処理及び制御処理を行う。制御部２は、例えばＣＰＵ（Ｃｅｎｔｒａｌ  Ｐｒｏｃｅｓｓｉｎｇ  Ｕｎｉｔ：中央処理装置）（図示略）及びＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等の内部メモリ（図示略）等を備える。制御部２の処理動作の詳細は後述する。
【００１２】
無線送受信部３は、通話及び電子メールデータ等の情報を、携帯電話網を介して受信する。無線送受信部３は、制御部２を介して受信した情報を内部メモリ又は記憶部６へ格納する。また、無線送受信部３は、送信する情報を制御部２から取得し、携帯電話網を介して送信する。送信する情報は、ＧＰＳ部８が測定した携帯端末装置１の位置情報も含まれる。
【００１３】
入力部４は、ユーザの入力操作を検出し、制御部２へ提供する。入力部４は、ボタン、キーボード、マウス等が例示される。ユーザは入力部４を使用して携帯端末装置１を操作する。ここで、携帯端末装置１を操作しているユーザを操作ユーザと称する。また、入力部４は、携帯端末装置１の電源部（電源ＯＮ及び電源ＯＦＦ）を含む。
【００１４】
出力部５は、制御部２から取得する情報を、操作ユーザが認識出来るように出力する。出力部５は、表示画面、スピーカ、ＬＥＤなどが例示される。
【００１５】
記憶部６は、本発明の携帯端末装置１に係る各種データを格納する。データは、例えば、メールアドレス、画像データ、パスワード、ＧＰＳ部８から取得する現在の位置情報等が含まれる。記憶部６は、ハードディスクやメモリ等が例示される。記憶部６は、紛失モードフラグを保持する。紛失モードフラグは、携帯端末装置１の所有者が予め設定している携帯端末装置１を操作することが許容されている複数のユーザ（以降、登録ユーザと称する）以外の者によって携帯端末装置１が操作されたことを、制御部２が判定した場合に立つフラグである。紛失モードフラグが立っている状態を紛失モードとする。紛失モードへ移行する条件及び紛失モードが解除される条件の詳細は後述する。
【００１６】
カメラ部７は、レンズや撮像素子（ＣＣＤ、ＣＭＯＳなど）などを含み、制御部２から取得した制御信号に基づき撮影し、画像データを生成する。カメラ部７は、出力部５に含まれる表示画面と同じ面に配置されることが好ましい。カメラ部７が表示面と同じ面に配置されることで、カメラ部７は操作ユーザの顔を撮影しやすくなる。また、カメラ部７は、表示画面と異なる位置へ配置することや、複数配置することも可能である。カメラ部７は、画像データを制御部２へ提供する。画像データは、制御部２を介して記憶部６又は内部メモリへ格納される。
【００１７】
ＧＰＳ部８は、ＧＰＳ衛星から送信される電波をキャッチし、携帯端末装置１の現在の位置情報（緯度及び経度）を算出する。ＧＰＳ部８は、位置情報を制御部２へ提供する。位置情報は、制御部２を介して記憶部６へ格納される。
【００１８】
顔認証部９は、カメラ部７が撮影した、操作ユーザの顔を含む画像データ（以降、対象画像データと称する）の認証を行う。顔認証部９は、制御部２を介して対象画像データを取得する。更に、顔認証部９は、登録ユーザ毎の顔の画像データ（以降、マスタ画像データと称する）を記憶部６から制御部２を介して取得する。尚、顔認証部９が、マスタ画像データを格納していてもよい。マスタ画像データは、カメラ部７に基づいて撮影され、携帯端末装置１の所有者によって登録ユーザと対応付けられて格納されている画像データである。顔認証部９は、取得した対象画像データとマスタ画像データとを比較して、対象画像データがマスタ画像データの中に含まれるか否かを判定する。顔認証部９の判定方法は、周知の画像解析方法を用いるとする。顔認証部９は、判定結果を制御部２へ提供する。
【００１９】
パスワード認証部１０は、操作ユーザが入力したパスワードの認証を行う。パスワード認証部１０は、操作ユーザが入力したパスワード（以降、対象パスワードと称する）を、記憶部６又は内部メモリから制御部２を介して取得する。更に、パスワード認証部１０は、所有者によって予め設定されているパスワード（以降、設定パスワードと称する）を記憶部６から制御部２を介して取得する。尚、パスワード認証部１０が設定パスワードを格納してもよい。パスワード認証部１０は、取得した対象パスワードが設定パスワードと一致するか否かを判定する。パスワード認証部１０は、判定結果を制御部２へ提供する。
【００２０】
尚、本発明はハードウエア構成例と示したものに限定されず、各部はハードウエアとソフトウエアとを単独又は組み合わせて実現することが出来る。ソフトウェアは、記憶部６に制御部２に備わるＣＰＵが実行可能な形式で格納される。
【００２１】
図２は、本発明の携帯端末装置１の第１の実施の形態による処理動作を示したフローチャートである。図２を参照して、本発明の第１の実施の形態による処理動作を説明する。
【００２２】
入力部４は、操作ユーザによる入力操作（例えばボタンの押下）に基づく信号を検出し、制御部２へ提供する（ステップＳ１０１）。
【００２３】
制御部２は、入力部４から信号を取得する。制御部２は、入力部４から所定の信号を取得すると、カメラ部７に撮影を行う制御信号を提供する。所定の信号は、電源オフ状態の携帯端末装置１を通常動作の状態へ起動する起動信号と、省電力状態の携帯端末装置１を通常動作の状態へ復帰する復帰信号と、携帯端末装置１が電源オフ状態又は省電力状態から通常動作の状態へ移行した後の信号とが含まれる。通常動作の状態は、携帯端末装置１に備わる各部に動作可能な電源が供給されている状態を示す。起動信号は、入力部４に含まれる電源部に基づいて、電源オフ状態にある携帯端末装置１を電源オン状態にする信号とする。復帰信号は、携帯端末装置１が省電力状態にある場合に、省電力状態を解除する信号とする。省電力状態は、携帯端末装置１の消費電力を抑える状態を示し、例えば、表示画面が消えている状態、ハードディスク及びその他のデバイスの電源をオフにしている状態（スリープ状態、スタンバイ状態及び休止状態など）等を含む。また、通常動作の状態へ移行した後の信号は、通常動作の状態へ移行した後の最初に入力部４から取得した信号や、通常動作の状態へ移行した後の設定回目の信号や、通常動作の状態へ移行してから設定時間を経過以降の信号やなどが例示される。設定回数及び設定時間は携帯端末装置１の所有者が任意に設定でき、記憶部６に格納されるとする。
【００２４】
カメラ部７は、制御部２から撮影する制御信号を取得し、操作ユーザの顔を撮影する。カメラ部７は、操作ユーザの顔を含む対象画像データを生成する。カメラ部７は、対象画像データを制御部２へ提供する。対象画像データは、制御部２を介して記憶部６へ格納される。このとき、携帯端末装置１は、対象画像データ及びカメラ部７が起動する画面等を、出力部５から出力しないものとする。従って、操作ユーザは、カメラ部７が操作ユーザの顔を撮影したことを認識出来ない（ステップＳ１０２）。
【００２５】
顔認証部９は、制御部２を介して対象画像データを取得する。更に、顔認証部９は、登録ユーザと対応するマスタ画像データを記憶部６から制御部２を介して取得する。顔認証部９は、取得した対象画像データとマスタ画像データとを比較処理を行う（ステップＳ１０３）。
【００２６】
顔認証部９は、対象画像データがマスタ画像データに含まれるか否かを判定する。顔認証部９は、判定結果を制御部２へ提供する（ステップＳ１０４）。
【００２７】
ステップＳ１０４において、制御部２は、対象画像データがマスタ画像データに含まれない判定結果を取得すると、記憶部６を参照して紛失モードフラグを確認する（ステップＳ１０５）。ステップＳ１０４において、制御部２は、対象画像データがマスタ画像データに含まれる判定結果を取得した場合、ステップＳ１１３へ進む。
【００２８】
ステップＳ１０５において、制御部２は紛失モードフラグが立っていないことを確認すると、出力部５にパスワード入力画面を表示させる。制御部２は、操作ユーザによって入力された対象パスワードを記憶部６へ格納する（ステップＳ１０６）。また、ステップＳ１０５において、制御部２が紛失モードであることを確認した場合は、ステップＳ１１１へ進む。
【００２９】
パスワード認証部１０は、操作ユーザが入力した対象パスワードを、記憶部６部から制御部２を介して取得する。更に、パスワード認証部１０は、予め設定されている設定パスワードを記憶部６から制御部２を介して取得する。パスワード認証部１０は、取得した対象パスワードと設定パスワードとが一致するか否かを判定する。パスワード認証部１０は、判定結果を制御部２へ提供する（ステップＳ１０７）。
【００３０】
ステップＳ１０７において、制御部２は対象パスワードと設定パスワードとが一致しない判定結果を取得すると、記憶部６の紛失モードフラグを「１」に設定する。これによって、携帯端末装置１は紛失モードへ移行する（ステップＳ１０８）。また、ステップＳ１０７において、制御部２が対象パスワードと設定パスワードとが一致する判定結果を取得した場合は、ステップＳ１１６へ進む。
【００３１】
紛失モードへ移行すると、制御部２は、入力部４からの信号を受け付けないロック状態へ移行する（ステップＳ１０９）。
【００３２】
ロック状態へ移行すると、制御部２はカメラ部７に撮影を行う制御信号を提供する。カメラ部７は、制御部２からの制御信号に基づいて操作ユーザの撮影を行う。ここで、撮影された操作ユーザの画像データを通知画像データと称する。カメラ部７が通知画像データを撮影するタイミングは、操作ユーザがパスワードを入力した直後である。従って、通知画像データは、操作ユーザの顔を対象画像データと比べより確実・鮮明に含むことが出来る。カメラ部７は、撮影した通知画像データを記憶部６へ格納する（ステップＳ１１０）。尚、携帯端末装置１は、撮影した操作ユーザの通知画像データ及びカメラ部７が起動する画面等を、出力部５から出力しないものとする。従って、ここでも操作ユーザは撮影されていることを認識出来ない。
【００３３】
制御部２は、ＧＰＳ部８に携帯端末装置１の現在の位置情報を取得する制御信号を提供する。ＧＰＳ部８は、ＧＰＳ衛星から送信される電波をキャッチし、携帯端末装置１の現在の位置情報を算出する。ＧＰＳ部８は、制御部２を介して位置情報を記憶部６へ格納する。ＧＰＳ部８は、算出した位置情報を出力部５から出力しない。従って、操作ユーザは、ＧＰＳ部８が位置情報を取得したことを認識出来ない（ステップＳ１１１）。
【００３４】
制御部２は、記憶部６から通知画像データと位置情報とを取得し、無線送受信部３へ提供する。また、制御部２は、記憶部６から送信先のアドレスを取得し、無線送受信部３へ提供する。無線送受信部３は、通知画像データ及び位置情報とを送信先のアドレスへ送信する。送信先のアドレスは、記憶部６に格納されているアドレスの中から、携帯端末装置１を所有するユーザによって任意に決定することが出来る。任意に決定されたアドレスを設定アドレスと称する（ステップＳ１１２）。これ以降は、ステップＳ１０１へ進む。
【００３５】
ステップＳ１０４において、制御部２は、対象画像データがマスタ画像データに含まれる判定結果を取得すると、記憶部６を参照して紛失モードフラグを確認する（ステップＳ１１３）。
【００３６】
ステップＳ１１３において、制御部２は紛失モードであることを確認した場合、紛失モードフラグを「０」にし、紛失モードを解除する（ステップＳ１１４）。尚、一度設定された紛失モードは、対象画像データがマスタ画像データに含まれていると判定されない限り解除出来ない。また、ステップＳ１１３において、制御部２が紛失モードでないことを確認した場合、ステップＳ１１６へ進む。
【００３７】
制御部２は、紛失モードを解除した後、携帯端末装置１のロック状態を解除する（ステップＳ１１５）。
【００３８】
携帯端末装置１は、不正使用されていない状況であるため、操作ユーザによる入力部４からの入力を受け付ける（ステップＳ１１６）。
【００３９】
本発明の第１の実施の形態による携帯端末装置１は、操作の都度ロック及びロック解除の設定を行う煩わしさがない。何故なら、本発明の携帯端末装置１が不正使用を判定するには、まず、操作ユーザの顔を電源オフ状態又は省電力状態の携帯端末装置１に対する入力操作に基づき自動的に撮影し、顔の認証を行う。そして、顔の認証に失敗した場合のみ、パスワードの認証を行う。つまり、顔の認証において不正使用でないと判定されれば、操作ユーザはパスワードを入力する手間が掛からないからである。更に、本発明の携帯端末装置１は、顔認識の後に入力されたパスワードと、設定されているパスワードとが一致しなければ、ロックが掛かる。即ち、顔認証とパスワード認証との２つの認証から不正使用を判定し、自動で入力を受け付けないロック状態へ移行することが出来るため、盗難、紛失又は置き忘れ等に対する安全性を高めることが出来る。
【００４０】
また、本発明の携帯端末装置１は、不正使用されていると判定した場合、紛失モードへ移行する。紛失モードは、対象画像データがマスタ画像データに含まれる場合に解除出来る。即ち、本発明の携帯端末装置１は、パスワードを何度も入力してロックを解除することが出来ない効果を奏している。
【００４１】
また、本発明の携帯端末装置１は、不正使用している操作ユーザの顔を撮影して、メール送信が可能である。送信する通知画像データを撮影するタイミングがパスワードを入力させた直後であるため、より確実・鮮明に不正使用している操作ユーザの顔の撮影が可能となる。更に、本発明の携帯端末装置１は、不正使用している操作ユーザが携帯端末装置１を操作する毎に、ＧＰＳ機能により現在の位置情報を取得し、メール送信することが出来る。従って、携帯端末装置１の位置を正確にトレースすることが可能である。
【００４２】
次に、本発明の第２の実施の形態を説明する。本発明の第２の実施の形態は、第１の実施の形態に、携帯端末装置１の移動距離を算出できる機能を追加したものである。図３は、本発明の携帯端末装置１の第２の実施の形態による、ハードウエア構成例を示すブロック図である。図３を参照すると、本発明の第２の実施の形態の構成例は、第１の実施の形態に距離算出部１１が加えらたものである。従って、無線送受信部３と、入力部４と、出力部５と、記憶部６と、カメラ部７と、ＧＰＳ部８と、顔認証部９と、パスワード認証部１０とは、第１の実施の形態と異なる処理動作を説明する。
【００４３】
距離算出部１１は、制御部２を介してＧＰＳ部８が測定した位置情報（経度及び緯度）を取得する。距離算出部１１は、２つの地点の位置情報に基づいて、２つの地点の直線距離を算出する。距離算出部１１は、算出した直線距離を制御部２へ提供する。直線距離は、制御部２を介して記憶部６へ格納される。
【００４４】
制御部２は、記憶部６から直線距離を取得する。制御部２は、取得した直線距離と、記憶部６から取得した所定の距離とを比較する。制御部２は、取得した直線距離が所定の距離であった場合、取得した現在の位置情報を無線送受信部３へ提供する。所定の距離は、携帯端末装置１の所有者によって任意に設定可能であり、記憶部６に格納されているとする。このとき制御部２は、第１の実施の形態と同様に、記憶部６から送信先のアドレスを取得し、無線送受信部３へ提供する。制御部２のその他の動作は第１の実施の形態と同様である。その他、第２の実施の形態による制御部２に係る処理動作の詳細は後述する。
【００４５】
図４は、本発明の携帯端末装置１の第２の実施の形態による処理動作を示したフローチャートである。図４を参照して、本発明の第２の実施の形態による処理動作を説明する。図４における、ステップＳ１０１からステップＳ１１２までは、第１の実施の形態と同様である。ステップＳ１０１からステップＳ１０３の説明は省略し、ステップＳ１０４から説明する。
【００４６】
本発明の第１の実施の形態と同様に、顔認証部９は、対象画像データがマスタ画像データに含まれるか否かを判定する。顔認証部９は、判定結果を制御部２へ提供する（ステップＳ１０４）。
【００４７】
ステップＳ１０４において、制御部２は、対象画像データがマスタ画像データに含まれる判定結果を取得すると、図２のステップＳ１１３へ進む。ステップＳ１１３以降の処理動作は、第１の実施の形態と同様であるため説明を省略する。
【００４８】
ステップＳ１０４において、制御部２は対象画像データがマスタ画像データに含まれない判定結果を取得すると、記憶部６を参照して紛失モードフラグを確認する（ステップＳ１０５）。
【００４９】
ステップＳ１０５において、制御部２は紛失モードフラグが立っていないことを確認すると、出力部５にパスワード入力画面を表示させる。制御部２は、操作ユーザによって入力された対象パスワードを記憶部６へ格納する（ステップＳ１０６）。ステップＳ１０６以降の処理動作は、第１の実施の形態と同様であるため説明を省略する。
【００５０】
ステップＳ１０５において、制御部２は紛失モードフラグが立っていることを確認すると、前回メール送信した通知画像データを記憶部６から取得し、顔認証部９へ提供する。更に、今回撮影した対象画像データを記憶部６から取得し、顔認証部９へ提供する。顔認証部９は、取得した前回メール送信した通知画像データと今回撮影した対象画像データとの比較処理を行う（ステップＳ２０１）。
【００５１】
顔認証部９は、前回メールした通知画像データと今回撮影した対象画像データとが一致するか否かを判定する。顔認証部９は、判定結果を制御部２へ提供する（ステップＳ２０２）。
【００５２】
ステップＳ２０２において、制御部２は、前回メールした通知画像データと今回撮影した対象画像データとが一致しない判定結果を取得すると、ステップＳ１１１へ進む。前回メールした通知画像データと今回撮影した対象画像データとが一致しない判定結果は、操作ユーザが前回と今回とで異なる可能性が高いことを示す。従って、携帯端末装置１は、ステップＳ１１１以降の処理動作によって、今回撮影した対象画像データ（新たな不正使用している操作ユーザの顔）を設定アドレスへ送信する。ステップＳ１１１以降の処理動作は、第１の実施の形態と同様であるため説明を省略する。
【００５３】
ステップＳ２０２において、制御部２は、前回メールした通知画像データと今回撮影した対象画像データとが一致する判定結果を取得すると、ＧＰＳ部８に携帯端末装置１の現在の位置情報を取得する制御信号を提供する。ＧＰＳ部８は、ＧＰＳ衛星から送信される電波をキャッチし、携帯端末装置１の現在の位置情報を算出する。ＧＰＳ部８は、制御部２を介して位置情報を記憶部６へ格納する（ステップＳ２０３）。前回メールした通知画像データと今回撮影した対象画像データとが一致する判定結果は、前回の操作ユーザが再び携帯端末装置１を操作していることを示す。
【００５４】
距離算出部１１は、制御部２を介してＧＰＳ部８が測定した今回の位置情報を記憶部６から取得する。また、距離算出部１１は、制御部２を介してＧＰＳ部８が前回のステップＳ１１２でメール送信した前回の位置情報を記憶部６から取得する。距離算出部１１は、今回の位置情報と前回の位置情報とに基づいて、２つの地点の直線距離を算出する。２つの地点の直線距離は、同一の操作ユーザが移動している距離を示している。距離算出部１１は、算出した直線距離を制御部２へ提供する（ステップＳ２０４）。
【００５５】
制御部２は、記憶部６から直線距離を取得する。制御部２は、取得した現在の位置情報が所定の距離にあるか否かを判定する（ステップＳ２０５）。ここでは、所定の距離は１ｋｍ以上とする。
【００５６】
ステップＳ２０５において、制御部２は、取得した直線距離が１ｋｍ以上であった場合、取得した現在の位置情報を無線送受信部３へ提供する。このとき制御部２は、記憶部６から設定アドレスを取得し、無線送受信部３へ提供する。無線送受信部３は、今回撮影した対象画像データ及び位置情報を設定アドレスへ送信する（ステップＳ１１２）。これ以降は、ステップＳ１０１へ進む。
【００５７】
ステップＳ２０５において、制御部２は、取得した直線距離が１ｋｍ以上でなかった場合、メール送信の制御を行わずステップＳ１０１へ進む。
【００５８】
本発明の第２の実施の形態によって、第１の実施の形態による効果に加え、不正使用している操作ユーザが変わった場合に、不正使用している新たな操作ユーザの顔と現在位置を所有者に知らせることが出来る。また、本発明の携帯端末装置１は、不正使用している操作ユーザが変わらない場合でも、本発明の携帯端末装置１が所定の距離を移動した場合に、位置情報等を設定アドレスへ送信することが出来る。これは、同じ場所からの同じ操作ユーザに基づく位置情報等を何度も送られることがなくなり、無駄なメール送信を無くし必要な位置情報等を所有者に提供できる効果を奏している。
【００５９】
本発明の携帯端末装置１は、携帯電話、ＰＤＡ（Ｐｅｒｓｏｎａｌ  Ｄｉｇｉｔａｌ  Ａｓｓｉｓｔａｎｔ）、パーソナルコンピュータなどが含まれる。
【図面の簡単な説明】
【００６０】
【図１】図１は、本発明の携帯端末装置１の第１の実施の形態による、ハードウエア構成例を示すブロック図である。
【図２】図２は、本発明の携帯端末装置１の第１の実施の形態による処理動作を示したフローチャートである。
【図３】図３は、本発明の携帯端末装置１の第２の実施の形態による、ハードウエア構成例を示すブロック図である。
【図４】図４は、本発明の携帯端末装置１の第２の実施の形態による処理動作を示したフローチャートである。
【符号の説明】
【００６１】
１    携帯端末装置
２    制御部
３    無線送受信部
４    入力部
５    出力部
６    記憶部
７    カメラ部
８    ＧＰＳ部
９    顔認証部
１０  パスワード認証部
１１  距離算出部
【図１】
0005077561.tif 000002
【図２】
0005077561.tif 000003
【図３】
0005077561.tif 000004
【図４】
0005077561.tif 000005